【事件の表示】
　特願２００６−５３５５２４「マルチキャストブロードキャストマルチメディアサービスのためのスケーラブル符号化」拒絶査定不服審判事件〔平成１７年　４月２８日国際公開、ＷＯ２００５／０３９１８６、平成１９年　４月　５日国内公表、特表２００７−５０８７８３〕について、次のとおり審決する。
【結　論】
　本件審判の請求は、成り立たない。
【理　由】
第１　手続の経緯及び本願発明
　
１．手続の経緯
　本願は，平成１６年９月２９日（優先権主張　２００３年１０月１４日　米国（ＵＳ），２００４年７月２３日　米国（ＵＳ））を国際出願日とする出願であって，平成２２年８月２４日付けで拒絶査定され，平成２３年１月１３日に拒絶査定不服審判の請求と同時に誤訳訂正書の提出がなされ，平成２４年４月２３日付けで拒絶理由が通知され，同年１０月２４日付けで意見書とともに手続補正書の提出がなされたものである。
　
２．本願発明
　本願の請求項１に係る発明（以下「本願発明」という。）は，平成２４年１０月２４日付け手続補正書の特許請求の範囲の請求項１に記載された事項（下線は請求人が付与。）により特定される次のとおりのものである。
　
　　【請求項１】
　通信チャネル上でマルチキャスト／ブロードキャストする方法であって、
　
同じコンテンツを複数のストリームに分離することと；
前記同じコンテンツからの
　　なお、それらの各々は符号化された
累積的な情報
グ認可
おり、そして、前記複数のストリームは、階層構造を有し、前記階層構造は、少なくとも、前記複数のストリームの内の第１のストリームに対応する第１のバージョンと、前記第１のストリームに対応する機能強化されたバージョンと、前記複数のストリームの内の第２のストリームとによって特徴付けられており、前記複数のストリームの内の前記第２のストリームは空データを備えない
　
ネットワーク上で
　を備え、
　前記
複数の
に、別々に符号化され
前記複数のストリームの内の１つ以上のセットは、前記同じコンテンツの前記第１のバージョンと前記機能強化されたバージョンとを形成し、
前記受信装置のコンフィギュレーションに基づいており、そして、前記選択的デコーディングは、
デコーディング
　方法。
　
　ただし，本願発明を特定する事項に関し，「マルチキャスト
／
何れかを、或いは両方
マルチキャスティング(multicasting)は
ブロードキャスティング(broadcasting)は
（当審注　（１）【００２２】の記載は，平成２４年１０月２４日付け手続補正書の提出まで，誤訳訂正及び補正はされていない。（２）上記ただし書中の「ブロードキャスティング(broadcasting)」は，明細書【００２２】では「ブロードキャ
ッ
ャス
　
　
第２　引用刊行物等
　
　平成２４年４月２３日付け拒絶理由通知で引用された，本願優先権主張日前に頒布された特開平１０−３３６６４５号公報（平成１０年（１９９８年）１２月１８日公開。以下「引用刊行物」という。）には，図面とともに次の事項が記載（下線は当審が付与。）されている。
　
　なお，平成２４年４月２３日付け拒絶理由通知の「２．引用刊行物１」の冒頭に，「当審において引用する特開平１０−３３６６
５４
４５
４５
４５
　
１　「【請求項５】入力映像信号を、低解像度の第１映像信号と、前記第１映像信号と組み合わせることにより、前記入力映像信号と同一の解像度を得ることが可能となる第２映像信号に分割する分割手段と、
前記第１映像信号を高能率符号化して第１符号化信号を得る第１符号化手段と、
前記第２映像信号を高能率符号化して第２符号化信号を得る第２符号化手段と、
前記第２符号化信号に課金情報を付加し課金付加信号を得る課金情報付加手段と、
前記第１符号化信号と前記課金付加信号とを異なるチャンネルで伝送する伝送手段とを備えることを特徴とする映像信号の伝送装置。
【請求項６】前記伝送手段は、前記第１符号化信号を映像伝送用チャンネルで、前記課金付加信号をデータ伝送用チャンネルで伝送することを特徴とする請求項５記載の映像信号の伝送装置。」
（公報２ページ１〜２欄）
　
２　「【０００１】
【発明の属する技術分野】本発明は映像信号を高能率符号化して伝送する映像信号の伝送装置に関するものである。
【０００２】
【従来の技術】現在ＴＶ信号の標準高能率圧縮方式としてＭＰＥＧ２が規格化されている。このＭＰＥＧ２は比較的低いデータレートで高画質の記録または伝送が可能であることや、様々なデータレートに圧縮可能であることから映像信号の伝送の標準フォーマットとして使用することも検討されている。
ＭＰＥＧ２の中には、高解像度の信号と低解像度の信号を両方伝送する方法がある
（公報４ページ５欄）
　
３　「【０００５】
【発明が解決しようとする課題】しかしながら、上記の方法では、
高解像度の信号の放送を始めた場合に、従来の低解像度の信号対応のデコーダを持っている人には、放送を見ることが出来なくなるという問題点があった
【０００６】本発明は、このような従来の課題を考慮し、
低解像度の信号対応のデコーダを持っている人にも、放送を見ることが出来る映像信号の伝送装置を提供することを目的
【０００７】
【課題を解決するための手段】しかるに、本発明の第１の映像信号の伝送装置は、入力映像信号を、低解像度の第１映像信号と、第１映像信号と組み合わせることにより入力映像信号と同一の解像度を得ることが可能となる第２映像信号に分割する分割手段と、第１映像信号を高能率符号化して第１符号化信号を得る第１符号化手段と、第２映像信号を高能率符号化して第２符号化信号を得る第２符号化手段と、第１符号化信号と第２符号化信号とを異なるチャンネルで伝送する伝送手段とを備え、従来のデコーダのみを持つ人にも放送受信が可能となる。」
（公報４ページ６欄）
　
４　「【０００９】また本発明の
第３の映像信号の伝送装置は、入力映像信号を、低解像度の第１映像信号と、第１映像信号と組み合わせることにより、入力映像信号と同一の解像度を得ることが可能となる第２映像信号に分割する分割手段と、第１映像信号を高能率符号化して第１符号化信号を得る第１符号化手段と、第２映像信号を高能率符号化して第２符号化信号を得る第２符号化手段と、第２符号化信号に課金情報を付加し課金付加信号を得る課金情報付加手段と、第１符号化信号と課金付加信号とを異なるチャンネルで伝送する伝送手段とを備える
（公報４ページ６欄）
　
５　「【００１９】
【発明の実施の形態】
（実施の形態１）以下、本発明の第１の実施の形態を図面を用いて説明する。図１は本発明の第１の実施の形態を説明するための図であり、１０１は映像信号を入力する入力端子、１０２は入力信号を２種類の信号に分割する分割器、１０３および１０４は入力信号を高能率符号化する第１および第２符号化器、１０５および１０６は入力信号を伝送する伝送路である第１チャンネルおよび第２チャンネルである。
【００２０】以上の構成における動作を以下に説明する。
【００２１】入力端子１０１より入力された映像信号（例えば水平１２８０画素、垂直７２０ライン、フレーム周波数６０の信号）は、分割器１０２に出力される。分割器１０２では入力信号を、
本実施の形態では、例えば、入力映像信号を帯域制限フィルタによりダウンコンバートした低解像度の信号である第１映像信号（例えば水平７２０画素、垂直４８０ラインフレーム周波数６０の信号）と、第１映像信号をアップコンバートして入力映像信号よりひいて得られる第２映像信号に分割する。このようにして得られた２つの信号は、第１映像信号は第１符号化器１０３で高能率符号化されて伝送路である第１チャンネル１０５より出力され、第２映像信号は第２符号化器１０４で高能率符号化されて伝送路である第２チャンネル１０６より出力される
【００２２】以上のように本実施の形態によると、第１符号化信号と第２符号化信号とを異なるチャンネルで伝送するので、従来のデコーダのみを持つ人にも従来どおりの放送受信が可能となる高解像度信号に対応した放送を行える。
（後略）」
（公報６ページ９〜１０欄）
　
６　「【００２５】
（前略）
（実施の形態３）以下、本発明の第３の実施の形態を図面を用いて説明する。図３は本発明の第３の実施の形態を説明するための図であり、３０１は映像信号を入力する入力端子、３０２は入力信号を２種類の信号に分割する分割器、３０３および３０４は入力信号を高能率符号化する第１および第２符号化器、３０５は入力信号に課金情報を付加する課金情報付加器、３０６および３０７は入力信号を伝送する伝送路である第１チャンネルおよび第２チャンネルである。
【００２６】以上の構成における動作を以下に説明する。
【００２７】入力端子３０１より入力された映像信号は、実施の形態１の場合同様、分割器３０２で分割され、第１符号化器３０３および第２符号化器３０４で高能率符号化され、第１符号化器３０３の出力は第１チャンネル３０６に、第２符号化器３０４の出力は課金情報付加器３０５に出力される。課金情報付加器３０５では、課金情報を付加して第２チャンネル３０７に出力する。
【００２８】
以上のように本実施の形態によると、第１の実施の形態の効果に加え、第２符号化器の出力に課金情報を付加しているので、従来の放送を見る人には課金無しで、また高解像度の放送を見る人は課金ありで、放送することが可能
（後略）」
（公報６ページ１０欄〜７ページ１１欄）
　
　そして，引用例記載の「伝送装置」が，映像信号を伝送用チャネルで伝送し，放送する伝送方法も開示していることは明白である。
　
　以上によれば，引用刊行物には次の発明（以下「引用発明」という。）が記載されている。
　
　入力映像信号を，低解像度の第１映像信号と，第１映像信号と組み合わせることにより，入力映像信号と同一の解像度を得ることが可能となる第２映像信号に分割する分割手段と，
　前記第１映像信号を高能率符号化して第１符号化信号を得る第１符号化手段と，
　前記第２映像信号を高能率符号化して第２符号化信号を得る第２符号化手段と，
　前記第２符号化信号に課金情報を付加し課金付加信号を得る課金情報付加手段と，
　前記第１符号化信号と課金付加信号とを異なるチャンネルで伝送する伝送手段とを備え，
　前記伝送手段は，前記第１符号化信号を映像伝送用チャンネルで，前記課金付加信号をデータ伝送用チャンネルで伝送し，
　前記第２符号化信号に課金情報を付加しているので，低解像度の放送を見る人には課金無しで，また高解像度の放送を見る人は課金ありで，放送することが可能となる，
　映像信号を高能率符号化して伝送する映像信号の伝送方法。
　
　
第３　当審の判断
　
１．対比
　本願発明と引用発明を対比する。
　
（１）　引用発明における「伝送方法」は，映像信号を伝送用チャネルで伝送し，放送する方法であるから，引用発明と本願発明は，「チャネル上でブロードキャストする方法」である点で共通するといえる。
　
（２）　引用発明における伝送装置に信号として入力される「映像」は，本願発明の「コンテンツ」に相当し，引用発明では，この映像信号を符号化し，放送するために伝送用チャンネルで伝送することは，符号化映像信号を「ストリーム」として提供することといえる。
　そうすると，引用発明の「分割手段」が，入力映像信号を第１映像信号と第２映像信号に分割することは，本願発明における「同じコンテンツを複数のストリームに分離すること」に一致するといえ，また，引用発明は，本願発明の「同じコンテンツからの複数のストリームを提供する」構成を備えているといえる。
　
（３）　引用発明においては，第１映像信号は，低解像度であって，高能率化符号化されるものである。
　一方，第２映像信号は，第１映像信号と組み合わせることにより，入力映像信号と同一の解像度を得ることが可能であって，高能率符号化され，課金情報が付加されるものである。
　してみると，引用発明でも，第１映像信号と第２映像信号は，それらが入力映像信号を得るために，組み合わせができるという点で，本願発明と同様，累積的であるといえるものである。
　また，高能率符号化された低解像度の第１映像信号に，高能率符号化された第２映像信号を組み合わせることにより，入力映像信号と同一の解像度を得ることができることからみて，低解像度の第１映像信号は，本願発明における「少なくとも、前記複数のストリームの内の第１のストリームに対応する第１のバージョン」と一致し，第２映像信号は，本願発明における「第１のストリームに対応する機能強化されたバージョン」であって，「複数のストリームの内の第２のストリーム」と一致するものである。
　よって，伝送用チャネルで伝送される高能率符号化された第１映像と高能率符号化された第２映像信号は，本願発明と同様，「少なくとも、前記複数のストリームの内の第１のストリームに対応する第１のバージョンと、前記第１のストリームに対応する機能強化されたバージョンと、前記複数のストリームの内の第２のストリームとによって特徴付けられる階層構造」を有しているといえるものである。
　
（４）　引用発明では，高能率符号化された第２映像信号に，課金情報を付加することによって，課金の「無し」または「あり」に基づいて，低解像度の放送，または，高解像度，すなわち，入力映像信号と同一の解像度の放送を，選択的に見ることができるのであり，符号化された信号を映像として見るためには，符号化信号を選択的にデコーディングしなければならないことは技術的に当然である。
　これらのことは，以下の事項ア〜エを意味しているといえる。
ア　引用発明の「高能率符号化された第２映像信号」が，課金情報を付加されることにより，デコーディング認可レベルに関連付けられること，
イ　第１映像信号と第２映像信号が，（ａ）受信装置による選択的デコーディングのために，別々に符号化されること，（ｂ）同じコンテンツの第１バージョンと機能強化されたバージョンとを，一つのセットとして形成すること，
ウ　上記イにおいて，引用発明が意味しているといえる「選択的デコーディング」も，受信装置が，第２符号化信号をデコーディングする構成，設定等のコンフィギュレーションを備えていなければ，高解像度，入力映像信号と同一の解像度の放送を見ることができないのであるから，受信装置のコンフィギュレーションに基づいていること，
エ　第２符号化信号は，課金情報を付加され，該課金情報を基に，放送を見る人に，課金があれば，高解像度の放送を見ることを認可できるレベルであるとして，第２符号化信号を当然にデコーディングするのであるから，選択デコーディングが，ストリームに関連付けられたデコーディング認可レベルに，基づいていること。
　
　以上から，本願発明と引用発明は，次の点で，一致，相違する。
　
［一致点］
　チャネル上でブロードキャストする方法であって，
　同じコンテンツを複数のストリームに分離することと；
　前記同じコンテンツからの複数のストリームを提供することと，
　　なお，それらの各々は符号化された累積的な情報を含み，それらの内の１つ以上はデコーディング認可レベルに関連付けられており，そして，前記複数のストリームは，階層構造を有し，前記階層構造は，少なくとも，前記複数のストリームの内の第１のストリームに対応する第１のバージョンと，前記第１のストリームに対応する機能強化されたバージョンと，前記複数のストリームの内の第２のストリームとによって特徴付けられており；
　を備え，
　前記複数のストリームの各々は，受信装置による選択的デコーディングのために，別々に符号化され，前記複数のストリームの内の１つ以上のセットは，前記同じコンテンツの前記第１のバージョンと前記機能強化されたバージョンとを形成し，
　前記選択的デコーディングは，前記受信装置のコンフィギュレーションに基づいており，そして，前記選択的デコーディングは，前記ストリームに関連付けられた前記デコーディング認可レベルに，少なくとも一部基づいている，
　方法。
　
［相違点１］
　本願発明では，ブロードキャストするチャネルが，「通信チャネル」であるのに対して，引用発明のチャネルは，「伝送用チャネル」であって，通信チャネルか否かが不明である点。
　
［相違点２］
　本願発明では，「複数のストリームのうちの第２のストリームは空データを備えない」ものであるのに対して，引用発明の「複数のストリームのうちの第２のストリーム」では，空データを備えるか否かが不明である点。
　
［相違点３］
　本願発明では，「ネットワーク上で複数のストリームをマルチキャスト／ブロードキャストする」ものであるのに対して，引用発明では，「複数のストリームをブロードキャストする」のが，「ネットワーク上」であるのか否かが不明である点。
　
２．検討
（１）相違点１及び３について
　引用刊行物の記載（上記第２の摘記２の【０００２】参照。）によれば，引用発明のチャネルは，ＴＶ信号を伝送するための放送信号伝送用チャネルであるとも解されるが，映像信号を符号化し，通信チャネル上で伝送するようにすることは，引用例を提示するまでもなく周知であり，映像コンテンツのブロードキャストを，通信チャネル上で行うようにし，さらに，通信のネットワーク上で行うようにすることは，当業者が容易になしえたことである。
　
（２）相違点２について
　引用刊行物の記載（上記第２の摘記２の【０００２】，及び同摘記３の【０００５】，【０００６】参照。）によれば，引用発明は，高解像度の信号と低解像度の信号を両方伝送した場合であっても，低解像度対応のデコーダを持っている人にも，放送を見ることが出来るようにすることを目的としたものである。
　そうすると，本願発明の「第２のストリーム」といえる引用発明の「第２映像信号」に対して，空データを備えないようにするか否かは，当業者が適宜なしうる事項に過ぎない。
　
　そして，本願発明のように構成したことによる効果も，引用発明及び周知技術から予測できる程度のものである。
　
３．小括
　したがって，本願発明（平成２４年１０月２４日付け手続補正書の特許請求の範囲の請求項１に記載された発明）は，引用発明及び周知技術に基づいて，当業者が容易に発明をすることができたものである。
　
　
第４　むすび
　
　以上のとおりであるから，本願発明は，引用発明及び周知技術に基づいて，当業者が容易に発明をすることができたものであるから，特許法第２９条第２項の規定により，特許を受けることができない。
　
　したがって，本願は，他の請求項について論及するまでもなく，拒絶すべきものである。
　
　よって，結論のとおり審決する。